(57)【要約】【課題】ノズル収納部の開口にノズル蓋が設けられている状態においても、ノズル収納部を除菌光で除菌していることを使用者に認識させることが可能な衛生洗浄装置を提供する。【解決手段】使用者の局部に向けて洗浄水を吐出する吐水口を有する局部洗浄ノズルと、局部洗浄ノズルを進退させる駆動装置と、局部洗浄ノズルを後退させた状態において、局部洗浄ノズルの全体を収納可能なノズル収納部を有するケーシングと、ノズル収納部の前端に設けられた開口に対して開閉可能に設けられ、局部洗浄ノズルが進出した状態では開状態であり、局部洗浄ノズルの全体がノズル収納部に収納された状態では閉状態であるノズル蓋と、ノズル収納部に除菌光を照射する照光部と、を備え、ノズル蓋及びその近傍の少なくともいずれかは、ノズル蓋が閉状態で、照光部から除菌光がノズル収納部内に照射された際に、使用者に視認可能な状態で光ることを特徴とする衛生洗浄装置。【選択図】図８
2019210801.tif 000002
【特許請求の範囲】
【請求項１】
衛生洗浄装置であって、
使用者の局部に向けて洗浄水を吐出する吐水口を有する局部洗浄ノズルと、
前記局部洗浄ノズルを進出及び後退させる駆動装置と、
前記局部洗浄ノズルを後退させた状態において、前記局部洗浄ノズルの全体を収納可能なノズル収納部を有するケーシングと、
前記ノズル収納部の前端に設けられた開口に対して開閉可能に設けられたノズル蓋であって、前記局部洗浄ノズルが進出した状態では前記開口を開く開状態であり、前記局部洗浄ノズルの全体が前記ノズル収納部に収納された状態では前記開口を閉じる閉状態である前記ノズル蓋と、
前記ノズル収納部の内部に除菌作用を有する除菌光を照射する照光部と、
を備え、
前記ノズル蓋及び前記ノズル蓋の近傍の少なくともいずれかは、前記ノズル蓋が前記閉状態で、前記照光部から前記除菌光が前記ノズル収納部の内部に照射された際に、使用者に視認可能な状態で光ることを特徴とする衛生洗浄装置。
【請求項２】
前記ノズル蓋及び前記ノズル蓋の近傍の少なくともいずれかは、前記照光部から前記ノズル収納部の内部に照射された前記除菌光を利用して光ることを特徴とする請求項１記載の衛生洗浄装置。
【請求項３】
前記照光部は、前記ケーシングの内部に設けられ、紫外光成分を含む前記除菌光を照射することを特徴とする請求項１または２に記載の衛生洗浄装置。
【請求項４】
前記ノズル蓋は、前記紫外光成分を可視光成分に変換可能な波長変換材料を含み、
前記照光部は、前記ノズル蓋において前記紫外光成分を前記可視光成分に変換することで、前記ノズル蓋を光らせることを特徴とする請求項３記載の衛生洗浄装置。
【請求項５】
前記照光部は、前記紫外光成分及び可視光成分を含む前記除菌光を照射することを特徴とする請求項３または４に記載の衛生洗浄装置。
【請求項６】
前記ノズル蓋は、前記可視光成分を透過可能な透過部を有し、
前記照光部は、前記透過部において前記可視光成分を透過させることで、前記ノズル蓋を光らせることを特徴とする請求項５記載の衛生洗浄装置。
【請求項７】
可視光成分を含む光を照射する別の照光部をさらに備え、
前記別の照光部は、前記ノズル蓋が前記閉状態で、前記照光部から前記除菌光が前記ノズル収納部の内部に照射された際に、前記ノズル蓋及び前記ノズル蓋の近傍の少なくともいずれかに前記可視光成分を含む光を照射することを特徴とする請求項３または４に記載の衛生洗浄装置。
【請求項８】
前記ノズル蓋は、前記可視光成分を透過可能な透過部を有し、
前記別の照光部は、前記透過部において前記可視光成分を透過させることで、前記ノズル蓋を光らせることを特徴とする請求項７記載の衛生洗浄装置。
【請求項９】
前記紫外光成分の放射強度は、前記可視光成分の放射強度よりも大きいことを特徴とする請求項５〜８のいずれか１つに記載の衛生洗浄装置。
【請求項１０】
前記ノズル蓋及び前記ノズル蓋の近傍の少なくともいずれかを光らせる光の放射強度は、前記照光部から前記ノズル収納部の内部に照射される前記除菌光の放射強度よりも小さいことを特徴とする請求項１〜９のいずれか１つに記載の衛生洗浄装置。
【請求項１１】
前記ノズル蓋及び前記ノズル蓋の近傍の少なくともいずれかを光らせる光のピーク波長は、前記照光部から前記ノズル収納部の内部に照射される前記除菌光のピーク波長よりも長いことを特徴とする請求項１〜１０のいずれか１つに記載の衛生洗浄装置。
【請求項１２】
前記ノズル蓋は、蓄光材料を含むことを特徴とする請求項１〜１１のいずれか１つに記載の衛生洗浄装置。
【請求項１３】
前記衛生洗浄装置の近傍にいる使用者を検知する人体検知センサと、
前記人体検知センサの検知情報に基づいて、前記照光部を制御する制御部と、
をさらに備え、
前記制御部は、前記人体検知センサが使用者を検知していない状態から使用者を検知したら、前記照光部を作動させることを特徴とする請求項１〜１２のいずれか１つに記載の衛生洗浄装置。
【請求項１４】
使用者が着座するための便座と、
使用者の前記便座への着座を検知する着座検知センサと、
をさらに備え、
前記制御部は、前記着座検知センサが着座を検知していない状態から着座を検知したら、前記照光部の作動を停止させることを特徴とする請求項１３記載の衛生洗浄装置。
【請求項１５】
前記制御部は、前記人体検知センサが使用者を検知していない状態においても、前記照光部を作動させることを特徴とする請求項１４記載の衛生洗浄装置。
【請求項１６】
前記制御部は、前記人体検知センサが使用者を検知していない状態における前記照光部の作動時間が、前記人体検知センサが使用者を検知している状態における前記照光部の作動時間よりも長くなるように前記照光部を制御することを特徴とする請求項１５記載の衛生洗浄装置。
【発明の詳細な説明】
【技術分野】
【０００１】
本発明の態様は、一般的に、衛生洗浄装置に関する。
【背景技術】
【０００２】
特許文献１には、局部洗浄ノズルに付着した汚れを除去するために、局部洗浄ノズルに対して、除菌作用を有する紫外光（ＵＶ光）を照射する技術が開示されている。
【先行技術文献】
【特許文献】
【０００３】
【特許文献１】特開２０１３−８３１４１号公報
【発明の概要】
【発明が解決しようとする課題】
【０００４】
局部洗浄ノズルの周辺には、局部洗浄ノズルが収納されるノズル収納部や、ノズル収納部の前端の開口に尿などがノズル収納部に侵入することを抑制するためのノズル蓋が設けられることがある。この場合、局部洗浄ノズルに紫外光を照射する際に、ノズル収納部などにも紫外光を照射することで、ノズル収納部などを除菌することができる。
【０００５】
しかし、ノズル収納部の開口にはノズル蓋が設けられているため、ノズル収納部がきれいになっていることを使用者が使用前に直接確認するには、ノズル蓋を使用者の意思で開いて、目視で直接確認する必要があり、手間である。つまり、現実問題として、使用前に使用者が直接確認することは困難である。このため、紫外光によってノズル収納部がきれいになったとしても、使用者はノズル収納部が汚れているかもしれないという疑念を抱く可能性がある。
【０００６】
このようにノズル収納部が汚れているかもしれないという疑念を抱くと、いくら局部洗浄ノズルがきれいであったとしても、その局部洗浄ノズルが汚い場所に収納されているため、心理的に局部洗浄ノズルが清潔であるとの意識を持てなくなる。その結果、清潔意識の高い使用者においては、局部洗浄ノズルを使用しなくなる恐れがある。
【０００７】
これを解決する手段として、紫外光の一部をノズル収納部の外側に漏光させ、ノズル収納部を紫外光によって除菌していることを使用者に認識させる方法が考えられる。しかし、紫外光は使用者が視認できない光であること、及び、上述した通りノズル収納部の開口にノズル蓋が設けられているため光を外部に漏光しにくい、という課題があった。
【０００８】
本発明は、かかる課題の認識に基づいてなされたものであり、ノズル収納部の開口にノズル蓋が設けられている状態においても、ノズル収納部を除菌光で除菌していることを使用者に認識させることが可能な衛生洗浄装置を提供することを目的とする。
【課題を解決するための手段】
【０００９】
第１の発明は、衛生洗浄装置であって、使用者の局部に向けて洗浄水を吐出する吐水口を有する局部洗浄ノズルと、前記局部洗浄ノズルを進出及び後退させる駆動装置と、前記局部洗浄ノズルを後退させた状態において、前記局部洗浄ノズルの全体を収納可能なノズル収納部を有するケーシングと、前記ノズル収納部の前端に設けられた開口に対して開閉可能に設けられたノズル蓋であって、前記局部洗浄ノズルが進出した状態では前記開口を開く開状態であり、前記局部洗浄ノズルの全体が前記ノズル収納部に収納された状態では前記開口を閉じる閉状態である前記ノズル蓋と、前記ノズル収納部の内部に除菌作用を有する除菌光を照射する照光部と、を備え、前記ノズル蓋及び前記ノズル蓋の近傍の少なくともいずれかは、前記ノズル蓋が前記閉状態で、前記照光部から前記除菌光が前記ノズル収納部の内部に照射された際に、使用者に視認可能な状態で光ることを特徴とする衛生洗浄装置である。
【００１０】
この衛生洗浄装置によれば、局部洗浄ノズルの全体がノズル収納部内に収納された状態では、ノズル収納部の開口がノズル蓋によって閉じられているため、ノズル収納部内への尿などの侵入を抑制することができる。また、ノズル蓋が閉状態で、照光部から除菌光がノズル収納部の内部に照射された際に、ノズル蓋及びノズル蓋の近傍の少なくともいずれかが使用者に視認可能な状態で光ることで、ノズル蓋を閉じた状態においても、ノズル収納部の内部を除菌光で除菌していることを使用者に視覚で実感させることができる。これにより、局部洗浄ノズルが清潔な場所に収納されていることを使用者が認識できるため、清潔意識の高い使用者においても、局部洗浄ノズルを安心して使用することができる。
【００１１】
第２の発明は、第１の発明において、前記ノズル蓋及び前記ノズル蓋の近傍の少なくともいずれかは、前記照光部から前記ノズル収納部の内部に照射された前記除菌光を利用して光ることを特徴とする衛生洗浄装置である。
【００１２】
この衛生洗浄装置によれば、ノズル蓋及びノズル蓋の近傍の少なくともいずれかが、照光部からノズル収納部の内部に照射された除菌光を利用して光ることで、ノズル収納部の内部を除菌光で除菌していることを使用者に視覚でより実感させることができる。
【００１３】
第３の発明は、第１または第２の発明において、前記照光部は、前記ケーシングの内部に設けられ、紫外光成分を含む前記除菌光を照射することを特徴とする衛生洗浄装置である。
【００１４】
この衛生洗浄装置によれば、ケーシングの内部に設けられる照光部から紫外光成分を含む除菌光を照射することで、より確実に紫外光成分を含む除菌光をノズル収納部の内部に照射することができる。
【００１５】
第４の発明は、第３の発明において、前記ノズル蓋は、前記紫外光成分を可視光成分に変換可能な波長変換材料を含み、前記照光部は、前記ノズル蓋において前記紫外光成分を前記可視光成分に変換することで、前記ノズル蓋を光らせることを特徴とする衛生洗浄装置である。
【００１６】
この衛生洗浄装置によれば、ノズル蓋が波長変換材料を含むことで、ノズル収納部の開口とノズル蓋との間に光を漏らすための大きなクリアランスを設けなくても、ノズル収納部の外側に位置するノズル蓋を光らせることができる。これにより、ノズル収納部の開口とノズル蓋との間から尿などが侵入することを、より確実に抑制しつつ、ノズル収納部の内部を除菌光で除菌していることを使用者に視覚で実感させることができる。
【００１７】
第５の発明は、第３または第４の発明において、前記照光部は、前記紫外光成分及び可視光成分を含む前記除菌光を照射することを特徴とする衛生洗浄装置である。
【００１８】
この衛生洗浄装置によれば、ケーシングの内部に設けられる照光部から、紫外光成分及び可視光成分を含む除菌光を照射することで、可視光成分を含む光を照射する別の照光部などを設けなくても、ノズル収納部を除菌光で除菌していることを使用者に認識させることができる。
【００１９】
第６の発明は、第５の発明において、前記ノズル蓋は、前記可視光成分を透過可能な透過部を有し、前記照光部は、前記透過部において前記可視光成分を透過させることで、前記ノズル蓋を光らせることを特徴とする衛生洗浄装置である。
【００２０】
この衛生洗浄装置によれば、ノズル蓋が透過部を有することで、照光部から照射される除菌光に含まれる紫外光成分によってノズル収納部の内部を除菌する性能を高めつつ、照光部から照射される除菌光に含まれる可視光成分が透過部を透過することによって使用者への視認効果を高めることができる。
【００２１】
第７の発明は、第３または第４の発明において、可視光成分を含む光を照射する別の照光部をさらに備え、前記別の照光部は、前記ノズル蓋が前記閉状態で、前記照光部から前記除菌光が前記ノズル収納部の内部に照射された際に、前記ノズル蓋及び前記ノズル蓋の近傍の少なくともいずれかに前記可視光成分を含む光を照射することを特徴とする衛生洗浄装置である。
【００２２】
この衛生洗浄装置によれば、紫外光成分を含む除菌光を照射する照光部に加えて、可視光成分を含む光を照射する別の照光部を設け、照光部から除菌光が照射された際に、ノズル蓋及びノズル蓋の近傍の少なくともいずれかに別の照光部から可視光成分を含む光を照射することで、照光部から照射される除菌光が可視光成分を含まない場合にも、別の照光部から照射される可視光成分を含む光によって、ノズル収納部を除菌光で除菌していることを使用者に認識させることができる。
【００２３】
第８の発明は、第７の発明において、前記ノズル蓋は、前記可視光成分を透過可能な透過部を有し、前記別の照光部は、前記透過部において前記可視光成分を透過させることで、前記ノズル蓋を光らせることを特徴とする衛生洗浄装置である。
【００２４】
この衛生洗浄装置によれば、ノズル蓋が透過部を有することで、照光部から照射される除菌光に含まれる紫外光成分によってノズル収納部の内部を除菌する性能を高めつつ、別の照光部から照射される光に含まれる可視光成分が透過部を透過することによって使用者への視認効果を高めることができる。
【００２５】
第９の発明は、第５〜第８のいずれか１つの発明において、前記紫外光成分の放射強度は、前記可視光成分の放射強度よりも大きいことを特徴とする衛生洗浄装置である。
【００２６】
この衛生洗浄装置によれば、紫外光成分の放射強度を可視光成分の放射強度よりも大きくすることで、紫外光成分によってノズル収納部の内部を除菌する性能をより高めることができる。
【００２７】
第１０の発明は、第１〜第９のいずれか１つの発明において、前記ノズル蓋及び前記ノズル蓋の近傍の少なくともいずれかを光らせる光の放射強度は、前記照光部から前記ノズル収納部の内部に照射される前記除菌光の放射強度よりも小さいことを特徴とする衛生洗浄装置である。
【００２８】
この衛生洗浄装置によれば、ノズル蓋及びノズル蓋の近傍の少なくともいずれかを光らせる光の放射強度を、照光部からノズル収納部の内部に照射される除菌光の放射強度よりも小さくすることで、使用者に除菌力の強い光が照射されること抑制できる。これにより、使用者の安全性を高めつつ、ノズル収納部の内部を除菌する性能を高めることができる。
【００２９】
第１１の発明は、第１〜第１０のいずれか１つの発明において、前記ノズル蓋及び前記ノズル蓋の近傍の少なくともいずれかを光らせる光のピーク波長は、前記照光部から前記ノズル収納部の内部に照射される前記除菌光のピーク波長よりも長いことを特徴とする衛生洗浄装置である。
【００３０】
この衛生洗浄装置によれば、ノズル蓋及びノズル蓋の近傍の少なくともいずれかを光らせる光のピーク波長を、照光部からノズル収納部の内部に照射される除菌光のピーク波長よりも長くすることで、使用者に除菌力の強い光が照射されること抑制できる。これにより、使用者の安全性を高めつつ、ノズル収納部の内部を除菌する性能を高めることができる。
【００３１】
第１２の発明は、第１〜第１１のいずれか１つの発明において、前記ノズル蓋は、蓄光材料を含むことを特徴とする衛生洗浄装置である。
【００３２】
この衛生洗浄装置によれば、ノズル蓋が蓄光材料を含むことで、実際にはノズル収納部の内部に除菌光を照射していない場合においても、ノズル収納部の内部を除菌光で除菌しているように見せることが可能となる。これにより、より安全にノズル収納部の内部を除菌光で除菌していることを使用者に視覚で実感させることができる。
【００３３】
第１３の発明は、第１〜第１２のいずれか１つの発明において、前記衛生洗浄装置の近傍にいる使用者を検知する人体検知センサと、前記人体検知センサの検知情報に基づいて、前記照光部を制御する制御部と、をさらに備え、前記制御部は、前記人体検知センサが使用者を検知していない状態から使用者を検知したら、前記照光部を作動させることを特徴とする衛生洗浄装置である。
【００３４】
この衛生洗浄装置によれば、使用者が衛生洗浄装置に近づいたことを検知したタイミングで照光部を作動させることで、使用者が便座に着座する前に、ノズル収納部を除菌光で除菌していることを使用者に認識させることができる。これにより、局部洗浄ノズルが清潔な場所に収納されていることを認識できるため、清潔意識の高い使用者においても、局部洗浄ノズルを安心して使用することができる。
【００３５】
第１４の発明は、第１３の発明において、使用者が着座するための便座と、使用者の前記便座への着座を検知する着座検知センサと、をさらに備え、前記制御部は、前記着座検知センサが着座を検知していない状態から着座を検知したら、前記照光部の作動を停止させることを特徴とする衛生洗浄装置である。
【００３６】
この衛生洗浄装置によれば、使用者が便座に着座したタイミングで照光部の作動を停止させることで、ノズル収納部を除菌光で除菌していることを使用者に認識させるという効果を損なうことなく、使用者に除菌光が照射されることを抑制し、使用者の安全性をより高めることができる。
【００３７】
第１５の発明は、第１４の発明において、前記制御部は、前記人体検知センサが使用者を検知していない状態においても、前記照光部を作動させることを特徴とする衛生洗浄装置である。
【００３８】
この衛生洗浄装置によれば、人体検知センサが使用者を検知していない状態においても除菌光を照射することで、除菌光の照射時間を長くすることができる。これにより、除菌光による除菌効果を高めることができる。また、除菌光の照射時間を長くすることで、ピーク波長が比較的長波長の除菌光を照射する場合であっても、除菌効果が低下することを抑制できる。したがって、除菌効果が低下することを抑制しつつ、使用者の安全性を高めることができる。また、ピーク波長が比較的長波長の除菌光を照射することで、ノズル収納部の内部における樹脂部材の劣化を抑制することもできる。
【００３９】
第１６の発明は、第１５の発明において、前記制御部は、前記人体検知センサが使用者を検知していない状態における前記照光部の作動時間が、前記人体検知センサが使用者を検知している状態における前記照光部の作動時間よりも長くなるように前記照光部を制御することを特徴とする衛生洗浄装置である。
【００４０】
この衛生洗浄装置によれば、人体検知センサが使用者を検知していない状態における照光部の作動時間（除菌光の照射時間）をより長くすることで、ノズル収納部の内部の除菌効果を更に高めることができる。
【発明の効果】
【００４１】
本発明の態様によれば、ノズル収納部の開口にノズル蓋が設けられている状態においても、ノズル収納部を除菌光で除菌していることを使用者に認識させることが可能な衛生洗浄装置が提供される。
【図面の簡単な説明】
【００４２】
【図１】実施形態に係る衛生洗浄装置を備えたトイレ装置を表す斜視図である。
【図２】実施形態に係る衛生洗浄装置の要部構成を表すブロック図である。
【図３】図３（ａ）及び図３（ｂ）は、実施形態に係る衛生洗浄装置の局部洗浄ノズル周辺を表す断面図である。
【図４】実施形態に係る衛生洗浄装置の内部構造を表す平面図である。
【図５】実施形態に係る衛生洗浄装置のノズル収納部を表す斜視図である。
【図６】実施形態に係る衛生洗浄装置の局部洗浄ノズル周辺を表す正面断面図である。
【図７】実施形態に係る衛生洗浄装置の局部洗浄ノズル周辺を表す正面図である。
【図８】実施形態に係る衛生洗浄装置のノズル蓋周辺を表す斜視図である。
【図９】実施形態に係る衛生洗浄装置のノズル蓋周辺を表す正面図である。
【図１０】実施形態に係る衛生洗浄装置のノズル蓋周辺の変形例を表す正面図である。
【図１１】実施形態に係る衛生洗浄装置の除菌光の波長分布の例を表すグラフである。
【図１２】実施形態に係る衛生洗浄装置の照光部の変形例を表す平面図である。
【図１３】実施形態に係る衛生洗浄装置の動作の具体例を例示するタイミングチャートである。
【図１４】実施形態に係る衛生洗浄装置のノズル蓋周辺を表す正面図である。
【図１５】図１５（ａ）及び図１５（ｂ）は、実施形態に係る衛生洗浄装置の照光部周辺を模式的に表す説明図である。
【図１６】図１６（ａ）及び図１６（ｂ）は、実施形態に係る衛生洗浄装置の変形例の照光部周辺を模式的に表す説明図である。
【発明を実施するための形態】
【００４３】
以下、本発明の実施の形態について図面を参照しつつ説明する。なお、各図面中、同様の構成要素には同一の符号を付して詳細な説明は適宜省略する。  
図１は、実施形態に係る衛生洗浄装置を備えたトイレ装置を表す斜視図である。  
図１に表したように、トイレ装置は、腰掛大便器（以下説明の便宜上、単に「便器」と称する）８００と、その上に設置された衛生洗浄装置１００と、を備える。衛生洗浄装置１００は、ケーシング４００と、便座２００と、便蓋３００と、を有する。便座２００と便蓋３００とは、ケーシング４００に対して開閉自在にそれぞれ軸支されている。
【００４４】
ケーシング４００の内部には、便座２００に座った使用者の「おしり」などの局部の洗浄を実現する局部洗浄機能部などが内蔵されている。また、例えばケーシング４００には、使用者の便座２００への着座を検知する着座検知センサ４０４が設けられている。着座検知センサ４０４が便座２００に座った使用者を検知している場合において、使用者が例えばリモコンなどの操作部５００（図２参照）を操作すると、局部洗浄ノズル（以下説明の便宜上、単に「ノズル」と称する）４７３を便器８００のボウル８０１内に進出させたり、ボウル８０１内から後退させたりすることができる。なお、図１に表した衛生洗浄装置１００では、ノズル４７３がボウル８０１内に進出した状態を表している。
【００４５】
ノズル４７３は、人体局部に向けて水（洗浄水）を吐出し、人体局部の洗浄を行う。ノズル４７３の先端部には、ビデ洗浄吐水口４７４ａ及びおしり洗浄吐水口４７４ｂが設けられている。ノズル４７３は、その先端に設けられたビデ洗浄吐水口４７４ａから水を噴射して、便座２００に座った女性の女性局部を洗浄することができる。あるいは、ノズル４７３は、その先端に設けられたおしり洗浄吐水口４７４ｂから水を噴射して、便座２００に座った使用者の「おしり」を洗浄することができる。なお、本願明細書において「水」という場合には、冷水のみならず、加熱されたお湯も含むものとする。
【００４６】
「おしり」を洗浄するモードのなかには、例えば、「おしり洗浄」と、「おしり洗浄」よりもソフトな水流で優しく洗浄する「やわらか洗浄」と、が含まれる。ノズル４７３は、例えば、「ビデ洗浄」と、「おしり洗浄」と、「やわらか洗浄」と、を実行することができる。
【００４７】
なお、図１に表したノズル４７３では、ビデ洗浄吐水口４７４ａがおしり洗浄吐水口４７４ｂよりもノズル４７３の先端側に設けられているが、ビデ洗浄吐水口４７４ａ及びおしり洗浄吐水口４７４ｂの設置位置は、これだけに限定されるわけではない。ビデ洗浄吐水口４７４ａは、おしり洗浄吐水口４７４ｂよりもノズル４７３の後端側に設けられていてもよい。また、図１に表したノズル４７３では、２つの吐水口が設けられているが、３つ以上の吐水口が設けられていてもよい。
【００４８】
図２は、実施形態に係る衛生洗浄装置の要部構成を表すブロック図である。  
図２では、水路系と電気系の要部構成を併せて表している。  
図２に表したように、衛生洗浄装置１００は、導水部２０を有する。導水部２０は、水道や貯水タンクなどの給水源１０からノズル４７３に至る管路２０ａを有する。導水部２０は、管路２０ａにより、給水源１０から供給された水をノズル４７３に導く。管路２０ａは、例えば、以下に説明する電磁弁４３１、熱交換器ユニット４４０、流路切替部４７２などの各部と、これらの各部を接続する複数の配管と、によって形成される。
【００４９】
導水部２０の上流側には、電磁弁４３１が設けられている。電磁弁４３１は、開閉可能な電磁バルブであり、ケーシング４００の内部に設けられた制御部４０５からの指令に基づいて水の供給を制御する。換言すれば、電磁弁４３１は、管路２０ａを開閉する。電磁弁４３１を開状態にすることにより、給水源１０から供給された水が、管路２０ａに流れる。
【００５０】
電磁弁４３１の下流には、調圧弁４３２が設けられている。調圧弁４３２は、給水圧が高い場合に、管路２０ａ内の圧力を所定の圧力範囲に調整する。調圧弁４３２の下流には、逆止弁４３３が設けられている。逆止弁４３３は、管路２０ａ内の圧力が低下した場合などに、逆止弁４３３よりも上流側への水の逆流を抑制する。
【００５１】
逆止弁４３３の下流には、熱交換器ユニット４４０（加熱部）が設けられている。熱交換器ユニット４４０は、ヒータを有し、給水源１０から供給された水を加熱して例えば規定の温度まで昇温する。すなわち、熱交換器ユニット４４０は、温水を生成する。
【００５２】
熱交換器ユニット４４０は、例えばセラミックヒータなどを用いた瞬間加熱式（瞬間式）の熱交換器である。瞬間加熱式の熱交換器は、貯湯タンクを用いた貯湯加熱式の熱交換器と比較すると、短い時間で水を規定の温度まで昇温させることができる。なお、熱交換器ユニット４４０は、瞬間加熱式の熱交換器には限定されず、貯湯加熱式の熱交換器であってもよい。また、加熱部は、熱交換器に限ることなく、例えば、マイクロ波加熱を利用するものなど、他の加熱方式を用いたものでもよい。
【００５３】
熱交換器ユニット４４０は、制御部４０５と接続されている。制御部４０５は、例えば、使用者による操作部５００の操作に応じて熱交換器ユニット４４０を制御することにより、操作部５００で設定された温度に水を昇温する。
【００５４】
熱交換器ユニット４４０の下流には、流量センサ４４２が設けられている。流量センサ４４２は、熱交換器ユニット４４０から吐出された水の流量を検知する。すなわち、流量センサ４４２は、管路２０ａ内を流れる水の流量を検知する。流量センサ４４２は、制御部４０５に接続されている。流量センサ４４２は、流量の検知結果を制御部４０５に入力する。
【００５５】
流量センサ４４２の下流には、電解槽ユニット４５０が設けられている。電解槽ユニット４５０は、内部を流れる水道水を電気分解することにより、水道水から次亜塩素酸を含む液（機能水）を生成する。電解槽ユニット４５０は、制御部４０５に接続されている。電解槽ユニット４５０は、制御部４０５による制御に基づいて、機能水の生成を行う。
【００５６】
電解槽ユニット４５０において生成される機能水は、例えば、銀イオンや銅イオンなどの金属イオンを含む溶液であってもよい。あるいは、電解槽ユニット４５０において生成される機能水は、電解塩素やオゾンなどを含む溶液であってもよい。あるいは、電解槽ユニット４５０において生成される機能水は、酸性水やアルカリ水であってもよい。
【００５７】
電解槽ユニット４５０の下流には、バキュームブレーカ（ＶＢ）４５２が設けられている。バキュームブレーカ４５２は、例えば、水を流すための流路と、流路内に空気を取り込むための吸気口と、吸気口を開閉する弁機構と、を有する。弁機構は、例えば、流路に水が流れている時に吸気口を塞ぎ、水の流れの停止とともに吸気口を開放して流路内に空気を取り込む。すなわち、バキュームブレーカ４５２は、導水部２０に水の流れが無い時に、管路２０ａ内に空気を取り込む。弁機構には、例えば、フロート弁が用いられる。
【００５８】
バキュームブレーカ４５２は、上記のように管路２０ａ内に空気を取り込むことにより、例えば、管路２０ａのバキュームブレーカ４５２よりも下流の部分の水抜きを促進させる。バキュームブレーカ４５２は、例えば、ノズル４７３の水抜きを促進する。このように、バキュームブレーカ４５２は、ノズル４７３内の水を抜いてノズル４７３内に空気を取り込むことにより、例えば、ノズル４７３内の洗浄水やボウル８０１内に溜まった汚水などが、給水源１０（上水）側に逆流してしまうことを抑制する。
【００５９】
バキュームブレーカ４５２の下流には、圧力変調部４５４が設けられている。圧力変調部４５４は、導水部２０の管路２０ａ内の水の流れに脈動または加速を与え、ノズル４７３のビデ洗浄吐水口４７４ａ及びおしり洗浄吐水口４７４ｂやノズル洗浄部４７８の吐水部から吐水される水に脈動を与える。すなわち、圧力変調部４５４は、管路２０ａ内を流れる水の流動状態を変動させる。圧力変調部４５４は、制御部４０５に接続されている。圧力変調部４５４は、制御部４０５による制御に基づいて、水の流動状態を変動させる。圧力変調部４５４は、管路２０ａ内の水の圧力を変動させる。
【００６０】
圧力変調部４５４の下流には、流量調整部４７１が設けられている。流量調整部４７１は、水勢（流量）の調整を行う。流量調整部４７１の下流には、流路切替部４７２が設けられている。流路切替部４７２は、ノズル４７３やノズル洗浄部４７８への給水の開閉や切替を行う。流量調整部４７１及び流路切替部４７２は、１つのユニットとして設けてもよい。流量調整部４７１及び流路切替部４７２は、制御部４０５に接続されている。流量調整部４７１及び流路切替部４７２の動作は、制御部４０５によって制御される。
【００６１】
流路切替部４７２の下流には、ノズル４７３、ノズル洗浄部４７８、及び噴霧ノズル４７９が設けられている。ノズル４７３は、ノズルモータ４７６からの駆動力を受け、便器８００のボウル８０１内に進出したり、ボウル８０１内から後退したりする。つまり、ノズルモータ４７６は、制御部４０５からの指令に基づいてノズル４７３を進退させる駆動装置である。
【００６２】
ノズル洗浄部４７８は、例えば、吐水部から機能水あるいは水を噴射することにより、ノズル４７３の外周表面（胴体）を洗浄する。噴霧ノズル４７９は、洗浄水や機能水をミスト状にしてボウル８０１に噴霧する。この例では、人体を洗浄するためのノズル４７３とは別に噴霧ノズル４７９を設けている。これに限ることなく、ミスト状の液体をボウル８０１に噴霧するための吐水口をノズル４７３に設けてもよい。
【００６３】
また、流路切替部４７２の下流には、おしり洗浄流路２１と、やわらか洗浄流路２２と、ビデ洗浄流路２３と、が設けられている。おしり洗浄流路２１及びやわらか洗浄流路２２は、導水部２０を介して給水源１０から供給された水や電解槽ユニット４５０において生成された機能水をおしり洗浄吐水口４７４ｂへ導く。ビデ洗浄流路２３は、導水部２０を介して給水源１０から供給された水や電解槽ユニット４５０において生成された機能水をビデ洗浄吐水口４７４ａへ導く。
【００６４】
また、流路切替部４７２の下流には、表面洗浄流路２４と、噴霧用流路２５と、が設けられている。表面洗浄流路２４は、導水部２０を介して給水源１０から供給された水や電解槽ユニット４５０において生成された機能水をノズル洗浄部４７８の吐水部へ導く。噴霧用流路２５は、導水部２０を介して給水源１０から供給される水や電解槽ユニット４５０において生成された機能水を噴霧ノズル４７９に導く。
【００６５】
制御部４０５は、流路切替部４７２を制御することにより、おしり洗浄流路２１、やわらか洗浄流路２２、ビデ洗浄流路２３、表面洗浄流路２４と、及び噴霧用流路２５の各流路の開閉を切り替える。このように、流路切替部４７２は、ビデ洗浄吐水口４７４ａ、おしり洗浄吐水口４７４ｂ、ノズル洗浄部４７８、及び噴霧ノズル４７９などの複数の吐水口のそれぞれについて、管路２０ａに連通させた状態と、管路２０ａに連通させない状態と、を切り替える。
【００６６】
制御部４０５は、電源回路４０１から電力を供給され、人体検知センサ４０３や、着座検知センサ４０４や、流量センサ４４２や、操作部５００などからの信号に基づいて、電磁弁４３１や、熱交換器ユニット４４０や、電解槽ユニット４５０や、圧力変調部４５４や、流量調整部４７１や、流路切替部４７２や、ノズルモータ４７６などの動作を制御する。
【００６７】
また、制御部４０５は、例えば、人体検知センサ４０３や着座検知センサ４０４の検知情報に基づいて、照光部７００を制御する。照光部７００は、ノズル４７３の周辺（後述のノズル収納部など）に除菌作用を有する光である除菌光を照射する。照光部７００については、後述する。
【００６８】
人体検知センサ４０３は、図１に表したように、ケーシング４００の上面に形成された凹設部４０９に埋め込まれるように設けられ、便座２００に近づいた使用者（人体）を検知する。換言すれば、人体検知センサ４０３は、衛生洗浄装置１００の近傍にいる使用者を検知する。また、便蓋３００の後部には透過窓３１０が設けられている。そのため、便蓋３００が閉じた状態において、人体検知センサ４０３は、透過窓３１０を介して使用者の存在を検知することができる。制御部４０５は、例えば、人体検知センサ４０３による使用者の検知に応答して、便蓋３００を自動的に開く。
【００６９】
また、ケーシング４００には、便座２００に座った使用者の「おしり」などに向けて温風を吹き付けて乾燥させる「温風乾燥機能」や「脱臭ユニット」や「室内暖房ユニット」などの各種の機構が適宜設けられていてもよい。この際、ケーシング４００の側面には、脱臭ユニットからの排気口４０７及び室内暖房ユニットからの排出口４０８が適宜設けられる。ただし、本発明においては、衛生洗浄機能部やその他の付加機能部は必ずしも設けなくてもよい。
【００７０】
図３（ａ）及び図３（ｂ）は、実施形態に係る衛生洗浄装置の局部洗浄ノズル周辺を表す断面図である。  
図４は、実施形態に係る衛生洗浄装置の内部構造を表す平面図である。  
図５は、実施形態に係る衛生洗浄装置のノズル収納部を表す斜視図である。  
図６は、実施形態に係る衛生洗浄装置の局部洗浄ノズル周辺を表す正面断面図である。
図７は、実施形態に係る衛生洗浄装置の局部洗浄ノズル周辺を表す正面図である。  
なお、図４では、衛生洗浄装置１００のノズル４７３以外の構成が省略されている。
【００７１】
図３（ａ）及び図４に表したように、ケーシング４００は、ノズル４７３を後退させた状態において、ノズル４７３の全体を収納可能なノズル収納部４８０を有する。ノズル収納部４８０は、ノズル４７３を収納するための部材であり、ノズル４７３の全体が収納された状態でノズル４７３に隣接する。この例では、図５に表したように、ノズル収納部４８０として、ノズル支持部４８２及びノズル洗浄部４７８が設けられている。
【００７２】
ノズル支持部４８２は、ノズル４７３の下方においてノズル４７３を支持する。ノズル支持部４８２は、後方から前方に向かう方向において、下方に傾斜している。ノズル４７３は、ノズル支持部４８２に対して摺動しながら、進出及び後退する。ノズル収納部４８０には、例えば、ノズル４７３を収納する筒状の部材が設けられてもよい。
【００７３】
ノズル洗浄部４７８は、ノズル支持部４８２の前端に取り付けられている。図３（ａ）及び図３（ｂ）に表したように、ノズル洗浄部４７８は、洗浄水を吐水する吐水穴が形成された部材（吐水部）４７８ａと、その支持体４７８ｂと、を含む。図３（ａ）、図３（ｂ）、及び図７に表したように、ノズル収納部４８０の前端には、開口４８１が設けられている。開口４８１は、ケーシング４００の前端の下部に設けられている。ノズル洗浄部４７８は、開口４８１の後方に位置する。ノズル洗浄部４７８は、例えば、ノズル４７３が進退する際に、吐水部４７８ａから機能水あるいは水を噴射することにより、ノズル４７３の外周表面（胴体）を洗浄する（セルフクリーニング）。
【００７４】
ノズル４７３の前方には、ノズル蓋６００が設けられている。ノズル蓋６００は、ノズル収納部４８０の前端に設けられた開口４８１に対して開閉可能に設けられる。ノズル蓋６００は、図３（ｂ）に表すように、ノズル４７３が進出した状態では開口４８１を開く開状態であり、図３（ａ）に表すように、ノズル４７３の全体がノズル収納部４８０に収納された状態では開口４８１を閉じる閉状態である。例えば、ノズル蓋６００が閉状態のとき、開口４８１の前方は、ノズル蓋６００により塞がれている。
【００７５】
ノズル蓋６００は、裏面６００ａと、表面６００ｂと、を有する。裏面６００ａは、閉状態においてノズル４７３側に位置する面である。表面６００ｂは、裏面６００ａと反対側に位置する面である。換言すれば、裏面６００ａは、閉状態において後方側に位置する面であり、表面６００ｂは、閉状態において前方側に位置する面である。
【００７６】
ノズル４７３は、使用されていない状態では、図３（ａ）に表すように、ノズル収納部４８０に収納されている。ノズル４７３によって局部洗浄が行われる場合、ノズル収納部４８０に対してノズル４７３が前下方に摺動する。ノズル４７３が前下方に摺動すると、ノズル４７３がノズル洗浄部４７８に接触し、ノズル洗浄部４７８の吐水部４７８ａ及びノズル蓋６００が上方に押し上げられる。例えば、ノズル４７３が所定の位置に到達するまでの間に、吐水部４７８ａからの吐水によって、ノズル４７３が洗浄される。
【００７７】
図３（ｂ）に表すように、ノズル４７３が所定の位置に到達すると、ビデ洗浄吐水口４７４ａまたはおしり洗浄吐水口４７４ｂから使用者の局部に向けて水が吐出され、洗浄が行われる。局部洗浄が完了すると、ノズル４７３は、ノズル収納部４８０に向けて後上方に摺動する。例えば、ノズル４７３がノズル収納部４８０に収納されるまでの間に、吐水部４７８ａからの吐水によって、ノズル４７３が洗浄される。ノズル４７３は、所定の位置まで後退し、図３（ａ）に表した状態のように、ノズル収納部４８０に収納される。
【００７８】
図３（ａ）、図３（ｂ）、図４、及び図６に表したように、衛生洗浄装置１００は、除菌作用を有する光である除菌光を照射する照光部７００を備える。照光部７００は、例えば、ケーシング４００の内部に設けられる。図４及び図６に表したように、この例では、照光部７００は、２つの発光部７１０を有している。２つの発光部７１０は、それぞれ、ノズル支持部４８２の下方の左右の側部に設けられており、２つの発光部７１０の間の上方に位置するノズル支持部４８２及びノズル４７３に向けて除菌光を照射する。また、２つの発光部７１０は、それぞれ、ノズル収納部４８０の前方側（開口４８１側）に設けられており、ノズル収納部４８０の前方側に除菌光を照射する。
【００７９】
照光部７００は、例えば、発光素子７２０（発光体）を有する。発光素子７２０は、例えば、ＬＥＤ（Light Emitting Diode）である。発光素子７２０は、ＬＥＤに限ることなく、例えば、ＬＤ（Laser Diode）やＯＬＥＤ（Organic Light Emitting Diode）などでもよい。発光素子７２０は、例えば冷陰極管や熱陰極管であってもよい。発光素子７２０により放射される除菌光の波長は、例えば、２５０ｎｍ〜４８０ｎｍである。発光素子７２０は、例えば、基板を介して制御部４０５に接続されており、制御部４０５の制御に基づいて、点灯及び消灯する。制御部４０５は、発光素子７２０の点灯及び消灯を制御することで、照光部７００の作動を制御する。また、制御部４０５は、例えば、発光素子７２０に印加する電圧を調整することで、発光素子７２０の放射強度を制御してもよい。発光素子７２０は、例えば、発光部７１０に設けられる。
【００８０】
照光部７００は、ノズル収納部４８０に対して、除菌光を照射する。照光部７００は、例えば、ノズル収納部４８０の内部に除菌光を照射する。これにより、ノズル収納部４８０は、除菌光によって除菌される。また、この例では、照光部７００は、ノズル蓋６００の裏面６００ａ及びノズル蓋６００の表面６００ｂにも除菌光を照射する。これにより、ノズル蓋６００の裏面６００ａ及びノズル蓋６００の表面６００ｂも、除菌光によって除菌される。
【００８１】
照光部７００は、例えば、除菌光の照射により、ノズル収納部４８０などに付着した菌の少なくとも一部を死滅又は不活性化させる。これにより、照光部７００は、ノズル収納部４８０などに付着した生きた菌を減らす。このように、照光部７００は、除菌光の照射により、ノズル収納部４８０などを除菌する。
【００８２】
図８は、実施形態に係る衛生洗浄装置のノズル蓋周辺を表す斜視図である。  
図９は、実施形態に係る衛生洗浄装置のノズル蓋周辺を表す正面図である。  
なお、図９では、便蓋３００は省略している。  
図８及び図９に表したように、ノズル蓋６００及び照光部７００は、ノズル蓋６００の閉状態において、除菌光の照射時に、開口４８１またはノズル蓋６００からケーシング４００の外側に可視光ＶＬを放出可能である。この例では、ノズル収納部４８０に照射された除菌光を透過可能なノズル蓋６００が設けられており、照光部７００からノズル収納部４８０に照射された除菌光は、ノズル蓋６００を透過して、ケーシング４００の外側に放出される。なお、この例では、除菌光は、紫外光成分と可視光成分とを含む。
【００８３】
除菌光の照射は、例えば、ノズル４７３の全体がノズル収納部４８０に収納され、かつノズル蓋６００が閉じた状態（すなわち、ノズル蓋６００の閉状態）で行われる。したがって、通常、使用者はノズル収納部４８０を除菌光で除菌していることを認識しにくい。
【００８４】
これに対し、実施形態においては、開口４８１またはノズル蓋６００からケーシング４００の外側に可視光ＶＬを放出可能とすることで、ノズル収納部４８０の開口４８１にノズル蓋６００が設けられている状態においても、ノズル収納部４８０を除菌光で除菌していることを使用者に認識させることができる。これにより、ノズル４７３が清潔な場所に収納されていることを認識できるため、清潔意識の高い使用者においても、ノズル４７３を安心して使用することができる。
【００８５】
以下、ノズル蓋６００の閉状態において、除菌光の照射時に、開口４８１またはノズル蓋６００からケーシング４００の外側に可視光ＶＬを放出可能とする手段について、説明する。  
図１０は、実施形態に係る衛生洗浄装置のノズル蓋周辺の変形例を表す正面図である。
なお、図１０では、便蓋３００は省略している。  
ノズル蓋６００の閉状態において、除菌光の照射時に、開口４８１またはノズル蓋６００からケーシング４００の外側に可視光ＶＬを放出する手段としては、可視光成分を含む除菌光自体を、開口４８１からケーシング４００の外側に放出する（漏らす）ことが考えられる。より具体的には、例えば、図１０に表したように、ノズル収納部４８０の開口４８１とノズル蓋６００の間に隙間（クリアランス）を設けることで、ノズル収納部４８０に照射された除菌光を開口４８１とノズル蓋６００との隙間からケーシング４００の外側に放出することができる。
【００８６】
このように、実施形態においては、ノズル収納部４８０の開口４８１とノズル蓋６００の間に隙間（クリアランス）を設けることで、ノズル収納部４８０に照射された除菌光を開口４８１とノズル蓋６００との隙間からケーシング４００の外側に放出してもよい。なお、この場合、例えば、ノズル蓋６００は、除菌光を透過しないものであってもよい。
【００８７】
また、実施形態においては、上記のように、ノズル収納部４８０に照射された除菌光を透過可能なノズル蓋６００を設けてもよい。除菌光を透過可能なノズル蓋６００を設けることで、例えば、ノズル収納部４８０の開口４８１とノズル蓋６００との間に大きなクリアランスを設けなくても、ノズル収納部４８０に照射された除菌光をノズル蓋６００を透過させてケーシング４００の外側に放出することができる。これにより、ノズル収納部４８０への尿などの侵入を抑制しつつ、ノズル収納部４８０を除菌光で除菌していることを使用者に認識させることができる。
【００８８】
また、除菌光が可視光成分を含まない場合には、例えば、可視光成分を含まない除菌光を可視光成分を含む光に波長変換して、ノズル蓋６００からケーシング４００の外側に放出してもよい。より具体的には、ノズル蓋６００は、例えば、波長変換材料を含んでもよい。波長変換材料は、例えば、光が照射された際に、照射された光とは異なるピーク波長を有する光（例えば、照射された光よりも長波長側にピーク波長を有する光）を放出する材料である。波長変換材料は、例えば、蛍光材料である。波長変換材料は、例えば、２，５−チオフェンジイルビス（５−ｔｅｒｔ−ブチル−１，３−ベンゾキサゾール）などである。
【００８９】
ノズル蓋６００が波長変換材料を含むことで、ノズル収納部４８０に照射された除菌光の波長をノズル蓋６００によって変換することができる。これにより、例えば、ノズル蓋６００からケーシング４００の外側に放出される光を除菌光よりも長波長にすることができるため、より安全にノズル収納部４８０を除菌光で除菌していることを使用者に認識させることができる。
【００９０】
また、例えば、可視光成分の放射強度が小さい、あるいは、可視光成分を含まない除菌光をノズル収納部４８０に照射した場合においても、除菌光を波長変換材料によって可視光成分を含む光に変換してケーシング４００の外側に放出することができる。これにより、除菌性能の高い紫外光成分によって除菌効果を更に高めることができるとともに、可視光成分を含むように変換された光をケーシング４００の外側に放出することで、使用者への視認効果も満足することができる。
【００９１】
また、実施形態において、ノズル蓋６００は、例えば、蓄光材料を含んでもよい。蓄光材料は、例えば、照射された光のエネルギーを吸収し、光として放出する材料である。蓄光材料は、例えば、アルミン酸ストロンチウムなどである。
【００９２】
除菌光は、除菌作用を有する光であるため、基本的には使用者に照射しないことが好ましい。ノズル蓋６００が蓄光材料を含むことで、実際にはノズル収納部４８０の内部に除菌光を照射していない場合においても、ノズル収納部４８０の内部を除菌光で除菌しているように見せることが可能となる。これにより、より安全にノズル収納部４８０の内部を除菌光で除菌していることを使用者に認識させることができる。
【００９３】
次に、照光部７００から照射される除菌光について説明する。  
実施形態において、照光部７００は、例えば、紫外光成分と可視光成分とを含む除菌光を照射する。このように、除菌性能の高い紫外光成分と、紫外光成分に比べて除菌性能は低いものの視認可能な可視光成分と、の両方を含む照射光をノズル収納部４８０に照射することで、例えば、除菌光自体を開口４８１からケーシング４００の外側に放出する（漏らす）場合に、除菌光による除菌効果と使用者への視認効果とを両立することができる。
【００９４】
可視光成分は使用者が視認できる程度の放射強度があれば十分であり、除菌効果を高めるためには紫外光成分の放射強度を大きくすることが望ましい。そこで、実施形態において、照光部７００は、例えば、紫外光成分の放射強度が可視光成分の放射強度よりも大きい除菌光を照射する。これにより、使用者への視認効果を満足しつつ、除菌効果を更に高めることができる。
【００９５】
除菌光のピーク波長は、例えば、２５０ｎｍ以上４８０ｎｍ以下である。除菌光のピーク波長は、好ましくは、３５０ｎｍ以上４８０ｎｍ以下である。このように、除菌光のピーク波長を可視光域と紫外光域の境界である４００ｎｍ付近（例えば、３５０ｎｍ以上４８０ｎｍ以下）に設定することで、１つの光源（発光素子７２０）から紫外光成分と可視光成分とを含む除菌光を照射することができる。これにより、照光部７００に設ける光源の数をより少なくすることができ、衛生洗浄装置１００を小型化することができる。
【００９６】
図１１は、実施形態に係る衛生洗浄装置の除菌光の波長分布の例を表すグラフである。
図１１に表したように、この例では、除菌光は、約３６０ｎｍ〜約４２０ｎｍの波長の光を含み、ピーク波長は、約３８５ｎｍである。このように、除菌光のピーク波長を、可視光域と紫外光域の境界付近に設定することで、例えば、紫外光成分であるＵＶ−Ａ成分（３１５ｎｍ以上４００ｎｍ以下）と紫〜青の可視光成分（４００ｎｍ以上４８０ｎｍ以下）とを含む除菌光を照射することができる。このような除菌光であれば、除菌効果と使用者への視認効果とを両立することができる。
【００９７】
なお、除菌光の光源は、１つに限定されない。例えば、除菌光として、１つの光源から紫外光成分を含み可視光成分を含まない光を照射するとともに、別の光源から可視光成分を含み紫外光成分を含まない光を照射してもよい。換言すれば、除菌光に含まれる紫外光成分と可視光成分とは、それぞれ、異なる光源から同時に照射されていてもよい。
【００９８】
また、除菌光は、紫外光成分と可視光成分とを含む光に限定されない。例えば、ノズル蓋６００が波長変換材料を含む場合、除菌光は、紫外光成分を含み可視光成分を含まない光であってもよい。
【００９９】
図１２は、実施形態に係る衛生洗浄装置の照光部の変形例を表す平面図である。  
図１２に表したように、発光素子７２０はノズル収納部４８０から離れた位置に設けられてもよい。この例では、ノズル収納部４８０から左右に離れた位置に２つの発光素子７２０が設けられており、２つの発光素子７２０は、それぞれ、光ファイバ７３０を介してノズル収納部４８０の左右の側部に設けられた２つの発光部７１０に接続されている。
【０１００】
実施形態においては、このように、発光素子７２０から光ファイバ７３０などで発光部７１０に除菌光を導光し、ノズル収納部４８０付近に設けられた発光部７１０からノズル収納部４８０に除菌光を照射してもよい。
【０１０１】
次に、実施形態に係る衛生洗浄装置の動作の具体例について、図面を参照しつつ説明する。  
図１３は、実施形態に係る衛生洗浄装置の動作の具体例を例示するタイミングチャートである。  
図１３に表したように、人体検知センサ４０３が使用者を検知していない状態では、照光部７００は作動していない（タイミングｔ０）。より具体的には、照光部７００の発光素子７２０（例えば、ＬＥＤ）は、消灯している（ＯＦＦ）。
【０１０２】
人体検知センサ４０３が衛生洗浄装置１００に近づいた使用者を検知すると、制御部４０５は、照光部７００を作動させる（タイミングｔ１）。より具体的には、制御部４０５は、照光部７００の発光素子７２０を点灯させる（ＯＮ）。なお、制御部４０５は、使用者を検知していない状態で照光部７００が作動している場合に、使用者を検知した後も照光部７００の作動を継続させる。
【０１０３】
このように、使用者が衛生洗浄装置１００に近づいたことを検知したタイミングで照光部７００を作動させることで、使用者が便座２００に着座する前に、ノズル収納部４８０を除菌光で除菌していることを使用者に認識させることができる。これにより、ノズル４７３が清潔な場所に収納されていることを認識できるため、清潔意識の高い使用者においても、ノズル４７３を安心して使用することができる。
【０１０４】
照光部７００は、例えば、着座検知センサ４０４が使用者の着座を検知するまで作動し続ける。換言すれば、制御部４０５は、人体検知センサ４０３が使用者を検知し、かつ着座検知センサ４０４が着座を検知していない状態において、照光部７００を作動させ続ける。
【０１０５】
着座検知センサ４０４が使用者の着座を検知すると、制御部４０５は、照光部７００の作動を停止させる（タイミングｔ２）。より具体的には、制御部４０５は、照光部７００の発光素子７２０を消灯させる（ＯＦＦ）。
【０１０６】
使用者が便座２００に着座した後は、ノズル収納部４８０を使用者が視認できない状態となる。また、開口４８１からケーシング４００の外側に除菌光を漏らしている場合、使用者に除菌光の一部が照射されやすい状態となる。これに対し、使用者が便座２００に着座したタイミングで照光部７００の作動を停止させることで、ノズル収納部４８０を除菌光で除菌していることを使用者に認識させるという効果を損なうことなく、使用者に除菌光が照射されることを抑制し、使用者の安全性をより高めることができる。
【０１０７】
照光部７００は、例えば、着座検知センサ４０４が使用者の離座を検知するまで作動を停止し続ける。換言すれば、制御部４０５は、着座検知センサ４０４が着座を検知している状態において、照光部７００の作動を停止させ続ける。
【０１０８】
着座検知センサ４０４が使用者の離座を検知すると（着座検知センサ４０４が着座を検知している状態から着座を検知していない状態になると）、制御部４０５は、照光部７００を作動させる（タイミングｔ３）。より具体的には、制御部４０５は、照光部７００の発光素子７２０を点灯させる（ＯＮ）。これにより、離座した使用者に、ノズル収納部４８０の除菌が再開されたことを認識させることができる。
【０１０９】
照光部７００は、所定時間ＴＭ１が経過するまで作動し続ける。換言すれば、制御部４０５は、人体検知センサ４０３が使用者を検知している状態から使用者を検知しない状態になっても、所定時間ＴＭ１が経過するまで照光部７００を作動させ続ける（タイミングｔ４）。
【０１１０】
所定時間ＴＭ１が経過すると、制御部４０５は、照光部７００の作動を停止させる（タイミングｔ５）。より具体的には、制御部４０５は、照光部７００の発光素子７２０を消灯させる（ＯＦＦ）。
【０１１１】
照光部７００は、未使用の状態で所定時間ＴＭ２が経過すると作動する。換言すれば、制御部４０５は、人体検知センサ４０３が使用者を検知せず、かつ着座検知センサ４０４が着座を検知していない状態で、所定時間ＴＭ２が経過すると、照光部７００を作動させる（タイミングｔ６）。より具体的には、制御部４０５は、照光部７００の発光素子７２０を点灯させる（ＯＮ）。このように、制御部４０５は、人体検知センサ４０３が使用者を検知していない状態において、照光部７００を作動させてもよい。
【０１１２】
人体検知センサ４０３が使用者を検知していない状態においても除菌光を照射することで、除菌光の照射時間を長くすることができる。これにより、除菌光による除菌効果を高めることができる。また、除菌光の照射時間を長くすることで、ピーク波長が比較的長波長の除菌光を照射する場合であっても、除菌効果が低下することを抑制できる。したがって、除菌効果が低下することを抑制しつつ、使用者の安全性を高めることができる。また、ピーク波長が比較的長波長の除菌光を照射することで、ノズル収納部４８０の内部における樹脂部材の劣化を抑制することもできる。
【０１１３】
所定時間ＴＭ３が経過すると、制御部４０５は、照光部７００の作動を停止させる（タイミングｔ７）。より具体的には、制御部４０５は、照光部７００の発光素子７２０を消灯させる（ＯＦＦ）。
【０１１４】
所定時間ＴＭ１〜ＴＭ３は、任意の時間でよい。所定時間ＴＭ１〜ＴＭ３は、例えば、人体検知センサ４０３が使用者を検知していない状態における照光部７００の作動時間が、人体検知センサ４０３が使用者を検知している状態における照光部７００の作動時間よりも長くなるように、設定される。換言すれば、制御部４０５は、例えば、人体検知センサ４０３が使用者を検知していない状態における照光部７００の作動時間が、人体検知センサ４０３が使用者を検知している状態における照光部７００の作動時間よりも長くなるように照光部７００を制御する。このように、人体検知センサ４０３が使用者を検知していない状態における照光部７００の作動時間（除菌光の照射時間）をより長くすることで、ノズル収納部４８０の内部の除菌効果を更に高めることができる。
【０１１５】
図１４は、実施形態に係る衛生洗浄装置のノズル蓋周辺を表す正面図である。  
図１４に表したように、ノズル蓋６００及びノズル蓋６００の近傍６５０の少なくともいずれかは、ノズル蓋６００が閉状態で、照光部７００から除菌光がノズル収納部４８０の内部に照射された際に、使用者に視認可能な状態で光る。
【０１１６】
図１４では、ノズル蓋６００及びノズル蓋６００の近傍６５０をハッチングで示している。つまり、実施形態においては、ノズル蓋６００が閉状態で、照光部７００から除菌光がノズル収納部４８０の内部に照射された際に、図１４にハッチングで示した領域の少なくとも一部が使用者に視認可能な状態で光る。なお、ノズル蓋６００が光る場合、少なくとも表面６００ｂ（外面）が光る。ノズル蓋６００の近傍６５０が光る場合、少なくともノズル蓋６００の表面６００ｂ側の面（外面）が光る。
【０１１７】
ノズル蓋６００の近傍６５０は、例えば、ノズル収納部４８０の開口４８１とノズル蓋６００との間の隙間（クリアランス）及びケーシング４００の前面４００ａの一部を含む。より具体的には、ノズル蓋６００の近傍６５０は、例えば、ノズル蓋６００から５ｃｍ以内の領域である。
【０１１８】
本願明細書において、「使用者に視認可能な状態で光る」とは、例えば、ノズル蓋６００及びノズル蓋６００の近傍６５０の少なくともいずれかが、それ以外の部分（例えば、ケーシング４００の前面４００ａのうち、ノズル蓋６００から５ｃｍ以上離れた部分）よりも明るい状態になることである。なお、「使用者に視認可能な状態で光る」状態は、ノズル蓋６００及びノズル蓋６００の近傍６５０の少なくともいずれかが可視光を発光する状態に限定されない。「使用者に視認可能な状態で光る」状態は、例えば、光源から照射された可視光がノズル蓋６００及びノズル蓋６００の近傍６５０の少なくともいずれかを透過することで透過箇所が明るく照らされた状態であってもよいし、光源から照射された可視光がノズル蓋６００及びノズル蓋６００の近傍６５０の少なくともいずれかに反射することで反射箇所が明るく照らされた状態であってもよい。
【０１１９】
このように、実施形態によれば、ノズル４７３の全体がノズル収納部４８０の内部に収納された状態では、ノズル収納部４８０の開口４８１がノズル蓋６００によって閉じられているため、ノズル収納部４８０の内部への尿などの侵入を抑制することができる。また、ノズル蓋６００が閉状態で、照光部７００から除菌光がノズル収納部４８０の内部に照射された際に、ノズル蓋６００及びノズル蓋６００の近傍６５０の少なくともいずれかが使用者に視認可能な状態で光ることで、ノズル蓋６００を閉じた状態においても、ノズル収納部４８０の内部を除菌光で除菌していることを使用者に視覚で実感させることができる。これにより、ノズル４７３が清潔な場所に収納されていることを使用者が認識できるため、清潔意識の高い使用者においても、ノズル４７３を安心して使用することができる。
【０１２０】
ノズル蓋６００及びノズル蓋６００の近傍６５０の少なくともいずれかは、例えば、照光部７００からノズル収納部４８０の内部に照射された除菌光を利用して光る。換言すれば、照光部７００は、例えば、ノズル収納部４８０の内部に照射した除菌光を利用して、ノズル蓋６００及びノズル蓋６００の近傍６５０の少なくともいずれかを光らせる。
【０１２１】
このように、ノズル蓋６００及びノズル蓋６００の近傍６５０の少なくともいずれかが、照光部７００からノズル収納部４８０の内部に照射された除菌光を利用して光ることで、ノズル収納部４８０の内部を除菌光で除菌していることを使用者に視覚でより実感させることができる。
【０１２２】
図１５（ａ）及び図１５（ｂ）は、実施形態に係る衛生洗浄装置の照光部周辺を模式的に表す説明図である。
図１５（ａ）及び図１５（ｂ）に表したように、照光部７００は、例えば、紫外光成分を含む除菌光を照射する。また、照光部７００は、例えば、ケーシング４００の内部（ノズル蓋６００の内側）に設けられる。このように、ケーシング４００の内部に設けられる照光部７００から紫外光成分を含む除菌光を照射することで、より確実に紫外光成分を含む除菌光をノズル収納部４８０の内部に照射することができる。
【０１２３】
また、上述のように、ノズル蓋６００が紫外光成分を可視光成分に変換可能な波長変換材料（例えば、蛍光材料）を含む場合、照光部７００は、図１５（ａ）に表したように、ノズル蓋６００において除菌光に含まれる紫外光成分を可視光成分に変換することで、ノズル蓋６００を光らせることができる。
【０１２４】
このように、ノズル蓋６００が波長変換材料を含むことで、ノズル収納部４８０の開口４８１とノズル蓋６００との間に光を漏らすための大きなクリアランスを設けなくても、ノズル収納部４８０の外側に位置するノズル蓋６００を光らせることができる。これにより、ノズル収納部４８０の開口４８１とノズル蓋６００との間から尿などが侵入することを、より確実に抑制しつつ、ノズル収納部４８０の内部を除菌光で除菌していることを使用者に視覚で実感させることができる。
【０１２５】
図１５（ｂ）に表したように、照光部７００は、紫外光成分及び可視光成分を含む除菌光を照射してもよい。このように、ケーシング４００の内部に設けられる照光部７００から、紫外光成分及び可視光成分を含む除菌光を照射することで、可視光成分を含む光を照射する別の照光部７５０などを設けなくても、ノズル収納部４８０を除菌光で除菌していることを使用者に認識させることができる。
【０１２６】
この場合、ノズル蓋６００は、可視光成分を透過可能な透過部６１０を有することが好ましい。透過部６１０の可視光成分の透過率は、例えば、ケーシング４００の前面４００ａの可視光成分の透過率よりも高い。照光部７００は、透過部６１０において可視光成分を透過させることで、ノズル蓋６００を光らせることができる。
【０１２７】
このように、ノズル蓋６００が透過部６１０を有することで、照光部７００から照射される除菌光に含まれる紫外光成分によってノズル収納部４８０の内部を除菌する性能を高めつつ、照光部７００から照射される除菌光に含まれる可視光成分が透過部６１０を透過することによって使用者への視認効果を高めることができる。
【０１２８】
また、照光部７００が紫外光成分及び可視光成分を含む除菌光を照射する場合には、上述のように、ノズル収納部４８０の開口４８１とノズル蓋６００の間に隙間（クリアランス）を設けることで、照光部７００からノズル収納部４８０の内部に照射された紫外光成分及び可視光成分を含む除菌光を、開口４８１とノズル蓋６００との隙間からケーシング４００の外側に放出してもよい。
【０１２９】
図１６（ａ）及び図１６（ｂ）は、実施形態に係る衛生洗浄装置の変形例の照光部周辺を模式的に表す説明図である。
図１６（ａ）及び図１６（ｂ）に表したように、実施形態に係る衛生洗浄装置１００は、紫外光成分を含む除菌光を照射する照光部７００に加えて、可視光成分を含む光を照射する別の照光部７５０をさらに備えていてもよい。
【０１３０】
照光部７５０は、ノズル蓋６００が閉状態で、照光部７００から除菌光がノズル収納部４８０の内部に照射された際に、ノズル蓋６００及びノズル蓋６００の近傍６５０の少なくともいずれかに可視光成分を含む光を照射する。
【０１３１】
このように、紫外光成分を含む除菌光を照射する照光部７００に加えて、可視光成分を含む光を照射する別の照光部７５０を設け、照光部７００から除菌光が照射された際に、ノズル蓋６００及びノズル蓋６００の近傍６５０の少なくともいずれかに照光部７５０から可視光成分を含む光を照射することで、照光部７００から照射される除菌光が可視光成分を含まない場合にも、照光部７５０から照射される可視光成分を含む光によって、ノズル収納部４８０を除菌光で除菌していることを使用者に認識させることができる。
【０１３２】
照光部７５０は、図１６（ａ）に表したように、ケーシング４００の内部（ノズル蓋６００の内側）に設けられてもよいし、図１６（ｂ）に表したように、ケーシング４００の外部（ノズル蓋６００の外側）に設けられてもよい。
【０１３３】
図１６（ａ）に表したように、照光部７５０がケーシング４００の内部に設けられる場合には、ノズル蓋６００は、可視光成分を透過可能な透過部６１０を有することが好ましい。照光部７５０は、透過部６１０において可視光成分を透過させることで、ノズル蓋６００を光らせることができる。
【０１３４】
このように、ノズル蓋６００が透過部６１０を有することで、照光部７００から照射される除菌光に含まれる紫外光成分によってノズル収納部４８０の内部を除菌する性能を高めつつ、照光部７５０から照射される光に含まれる可視光成分が透過部６１０を透過することによって使用者への視認効果を高めることができる。
【０１３５】
また、照光部７５０がケーシング４００の内部に設けられる場合には、上述のように、ノズル収納部４８０の開口４８１とノズル蓋６００の間に隙間（クリアランス）を設けることで、照光部７５０から照射された可視光成分を含む光を、開口４８１とノズル蓋６００との隙間からケーシング４００の外側に放出してもよい。
【０１３６】
一方、図１６（ｂ）に表したように、照光部７５０がケーシング４００の外部に設けられる場合には、ノズル蓋６００は、可視光成分を反射可能に構成されることが好ましい。このように、ノズル蓋６００が可視光成分を反射可能に構成されることで、ケーシング４００の外部に設けられた照光部７５０から照射された可視光成分を含む光をノズル蓋６００で反射させて、ノズル収納部４８０を除菌光で除菌していることを使用者に認識させることができる。
【０１３７】
このように、実施形態において、照光部７００及び照光部７５０の少なくともいずれかは、ノズル蓋６００が閉状態で、照光部７００から除菌光がノズル収納部４８０の内部に照射された際に、ノズル蓋６００及びノズル蓋６００の近傍６５０の少なくともいずれかを使用者に視認可能な状態で光らせることで、ノズル収納部４８０の内部を除菌光で除菌していることを使用者に視覚で実感させることができる。
【０１３８】
照光部７００が、紫外光成分及び可視光成分を含む光を照射する場合、または、照光部７００が紫外光成分を含む除菌光を照射するとともに照光部７５０が可視光成分を含む光を照射する場合、紫外光成分の放射強度は、可視光成分の放射強度よりも大きいことが好ましい。このように、紫外光成分の放射強度を可視光成分の放射強度よりも大きくすることで、紫外光成分によってノズル収納部４８０の内部を除菌する性能をより高めることができる。
【０１３９】
ノズル蓋６００及びノズル蓋６００の近傍６５０の少なくともいずれかを光らせる光Ｌ２の放射強度は、照光部７００からノズル収納部４８０の内部に照射される除菌光Ｌ１の放射強度よりも小さいことが好ましい。
【０１４０】
図１５（ａ）、図１５（ｂ）、図１６（ａ）、及び図１６（ｂ）に表したように、ノズル蓋６００及びノズル蓋６００の近傍６５０の少なくともいずれかを光らせる光Ｌ２は、例えば、照光部７００または照光部７５０から照射された光による蛍光、透過光、及び反射光などである。より具体的には、光Ｌ２は、例えば、照光部７００から照射された除菌光が波長変換材料を含むノズル蓋６００において波長変換されてノズル蓋６００の外側に放出された際の蛍光であってもよいし、照光部７００から照射された除菌光または照光部７５０から照射された光が透過部６１０を有するノズル蓋６００を透過した際の透過光であってもよいし、照光部７５０から照射された光がノズル蓋６００において反射した際の反射光であってもよい。
【０１４１】
このように、ノズル蓋６００及びノズル蓋６００の近傍６５０の少なくともいずれかを光らせる光Ｌ２の放射強度を、照光部７００からノズル収納部４８０の内部に照射される除菌光Ｌ１の放射強度よりも小さくすることで、使用者に除菌力の強い光が照射されること抑制できる。これにより、使用者の安全性を高めつつ、ノズル収納部４８０の内部を除菌する性能を高めることができる。
【０１４２】
また、ノズル蓋６００及びノズル蓋６００の近傍６５０の少なくともいずれかを光らせる光Ｌ２のピーク波長は、照光部７００からノズル収納部４８０の内部に照射される除菌光Ｌ１のピーク波長よりも長いことが好ましい。
【０１４３】
このように、ノズル蓋６００及びノズル蓋６００の近傍６５０の少なくともいずれかを光らせる光Ｌ２のピーク波長を、照光部７００からノズル収納部４８０の内部に照射される除菌光Ｌ１のピーク波長よりも長くすることで、使用者に除菌力の強い光が照射されること抑制できる。これにより、使用者の安全性を高めつつ、ノズル収納部４８０の内部を除菌する性能を高めることができる。
【０１４４】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、衛生洗浄装置１００などが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１４５】
１０ 給水源、  ２０ 導水部、  ２１ おしり洗浄流路、  ２２ やわらか洗浄流路、  ２３ ビデ洗浄流路、  ２４ 表面洗浄流路、  ２５ 噴霧用流路、  １００ 衛生洗浄装置、  ２００ 便座、  ３００ 便蓋、  ３１０ 透過窓、  ４００ ケーシング、  ４００ａ 前面、  ４０１ 電源回路、  ４０３ 人体検知センサ、  ４０４ 着座検知センサ、  ４０５ 制御部、  ４０７ 排気口、  ４０８ 排出口、  ４０９ 凹設部、  ４３１ 電磁弁、  ４３２ 調圧弁、  ４３３ 逆止弁、  ４４０ 熱交換器ユニット、  ４４２ 流量センサ、  ４５０ 電解槽ユニット、  ４５２ バキュームブレーカ、  ４５４ 圧力変調部、  ４７１ 流量調整部、  ４７２ 流路切替部、  ４７３ ノズル、  ４７４ａ ビデ洗浄吐水口、  ４７４ｂ おしり洗浄吐水口、  ４７６ ノズルモータ、  ４７８ ノズル洗浄部、  ４７８ａ 吐水部、  ４７８ｂ 支持体、  ４７９ 噴霧ノズル、  ４８０ ノズル収納部、  ４８１ 開口、  ４８２ ノズル支持部、  ５００ 操作部、  ６００ ノズル蓋、  ６００ａ 裏面、  ６００ｂ 表面、  ６１０ 透過部、  ６５０ 近傍、  ７００ 照光部、  ７１０ 発光部、  ７２０ 発光素子、  ７３０ 光ファイバ、  ７５０ 照光部、  ８００ 便器、  ８０１ ボウル、  ｔ０〜ｔ７ タイミング、  ＴＭ１〜ＴＭ３ 所定時間、  ＶＬ 可視光
【図１】
2019210801.tif 000003
【図２】
2019210801.tif 000004
【図３】
2019210801.tif 000005
【図４】
2019210801.tif 000006
【図５】
2019210801.tif 000007
【図６】
2019210801.tif 000008
【図７】
2019210801.tif 000009
【図８】
2019210801.tif 000010
【図９】
2019210801.tif 000011
【図１０】
2019210801.tif 000012
【図１１】
2019210801.tif 000013
【図１２】
2019210801.tif 000014
【図１３】
2019210801.tif 000015
【図１４】
2019210801.tif 000016
【図１５】
2019210801.tif 000017
【図１６】
2019210801.tif 000018